【手続補正書】
【提出日】平成26年3月18日(2014.3.18)
【手続補正１】
【補正対象書類名】特許請求の範囲
【補正対象項目名】全文
【補正方法】変更
【補正の内容】
【特許請求の範囲】
【請求項１】
メタン、Ｃ２成分、Ｃ３成分、およびより重質の炭化水素成分を含有するガス・ストリームを、揮発性残留ガス留分と、前記Ｃ２成分、Ｃ３成分、およびより重質の炭化水素成分または前記Ｃ３成分およびより重質の炭化水素成分の大部分を含有する比較的低揮発性の留分とに分離するためのプロセスであって、
（１）前記ガス・ストリームを第１の部分と第２の部分に分け、
（２）前記第１の部分を冷却し、
（３）前記第２の部分を冷却し、
（４）前記冷却された第１の部分を前記冷却された第２の部分と組み合わせて冷却されたガス・ストリームを形成し、
（５）前記冷却されたガス・ストリームを第１ストリームと第２ストリームに分け、
（６）前記第１のストリームを冷却して前記第１のストリームの実質的にすべてを凝縮させ、且つその後、より低い圧力に膨張させ、それにより前記第１のストリームをさらに冷却し、
（７）前記膨張し冷却された第１のストリームを処理組立体の中に収容された第１吸収手段と第２吸収手段との間にフィードとして供給し、前記第１の吸収手段が前記第２の吸収手段よりも上に位置付けられ、
（８）前記第２のストリームを前記より低い圧力に膨張させ、且つボトムフィードとして前記第２の吸収手段に供給し、
（９）蒸留液体ストリームを、前記第２の吸収手段の下側領域から収集し、且つ前記処理組立体の中に収容された加熱および物質移動手段の中で加熱され、これにより前記蒸留液体ストリームからより揮発性の成分を同時にストリッピングしながら前記ステップ（３）の冷却の少なくとも一部を供給し、且つその後、加熱され且つストリッピングされた前記蒸留液体ストリームを前記処理組立体から前記比較的低揮発性の留分として吐出し、
（１０）第１の蒸留蒸気ストリームを、前記加熱および物質移動手段の上側領域から収集し、且つ前記第１の蒸留蒸気ストリームの少なくとも一部を凝縮するのに十分なだけ冷却し、
（１１）前記少なくとも部分的に凝縮された第１の蒸留蒸気ストリームを、分離手段に供給し、且つ前記分離手段の中で分離され、これにより凝縮されたストリームと前記第１の蒸留蒸気ストリームが冷却された後に残るあらゆる凝縮されていない蒸気を含有する残留蒸気ストリームとを形成し、
（１２）前記凝縮されたストリームの少なくとも一部を、頂部フィードとして前記第１の吸収手段に供給し、
（１３）第２の蒸留蒸気ストリームを、前記第１の吸収手段の上側領域から収集し、且つ加熱され、
（１４）前記加熱した第２の蒸留蒸気ストリームを、あらゆる前記残留蒸気ストリームと組み合わせて、組み合わされた蒸気ストリームを形成し、
（１５）前記組み合わされた蒸気ストリームを加熱し、その後、前記加熱され組み合わされた蒸気ストリームを前記揮発性残留ガス留分として吐出し、
（１６）前記第２の蒸留蒸気ストリームと前記組み合わされた蒸気ストリームとの前記加熱が、１つまたは複数の熱交換手段の中で達成され、これにより前記ステップ（２）、前記ステップ（６）、および前記ステップ（１０）の冷却の少なくとも一部を供給し、
（１７）前記第１吸収手段および前記第２吸収手段への前記フィード・ストリームの量および温度が、前記第１の吸収手段の前記上側領域の温度を前記比較的低揮発性の留分中の成分の大部分が回収される温度に維持するのに有効である、
プロセス。
【請求項２】
（ａ）前記冷却された第１の部分を、前記冷却された第２の部分と組み合わせ、部分的に凝縮されたガス・ストリームを形成し、
（ｂ）前記部分的に凝縮されたガス・ストリームを、付加的な分離手段に供給し、その中で分離し、蒸気ストリームと少なくとも１つの液体ストリームとを提供し、
（ｃ）前記蒸気ストリームを、前記第１ストリームと第２ストリームに分け、
（ｄ）前記少なくとも１つの液体ストリームの少なくとも一部を前記より低圧に膨張させ、前記第２の吸収手段よりも下で且つ前記加熱および物質移動手段よりも上の前記処理組立体にフィードとして供給する、
請求項１に記載のプロセス。
【請求項３】
（a）前記第１のストリームを前記少なくとも１つの液体ストリームの少なくとも一部と組み合わせ、組み合わせたストリームを形成し、
（ｂ）前記組み合わせたストリームを冷却して実質的に全てを凝縮し、その後、より低圧に膨張させることによりさらに冷却し、
（ｃ）前記膨張させて冷却した組み合わせたストリームを、前記第１の吸収手段および第２の吸収手段の間に前記フィードとして供給し、
（ｄ）前記少なくとも１つの液体ストリームの残りの全ての部分を前記より低圧に膨張させ、前記第２の吸収手段より下であり、かつ前記加熱および物質移動手段より上の前記処理組立体に前記フィードとして供給し、
（ｅ）前記第２の蒸留蒸気ストリームおよび前記組み合わせた蒸気ストリームの前記加熱を、１つ以上の熱交換手段において達成することにより、前記ステップ（２）、（１０）、および（ｂ）の冷却の少なくとも一部を供給する、
請求項２に記載のプロセス。
【請求項４】
前記付加的な分離手段を、前記処理組立体に収容する、請求項２に記載のプロセス。
【請求項５】
前記付加的な分離手段を、前記処理組立体に収容する、請求項３に記載のプロセス。
【請求項６】
（１）前記加熱および物質移動手段を上側領域および下側領域に配置し、
（２）前記少なくとも１つの液体ストリームの前記膨張した少なくとも一部を、前記処理組立体に供給し、前記加熱および物質移動手段の前記上側領域と前記下側領域との間に入れる、請求項２または４に記載のプロセス。
【請求項７】
（１）前記加熱および物質移動手段を上側領域および下側領域に配置し、
（２）前記少なくとも１つの液体ストリームの前記膨張した残りの全ての部分を、前記処理組立体に供給し、前記加熱および物質移動手段の前記上側領域と前記下側領域との間に入れる、請求項３または５に記載のプロセス。
【請求項８】
（１）前記処理組立体の中にガス収集手段を収容し、
（２）前記ガス収集手段の内部に付加的な加熱および物質移動手段が含まれ、前記付加的な加熱および物質移動手段が、外部冷媒のための１つまたは複数の管路を含み、
（３）前記冷却されたガス・ストリームを、前記ガス収集手段に供給し、且つ前記外部冷媒によってさらに冷却するために前記付加的な加熱および物質移動手段に向け、
（４）前記さらに冷却されたガス・ストリームを、前記第１ストリームと前記第２ストリームに分ける、
請求項１に記載のプロセス。
【請求項９】
（１）前記付加的な分離手段の内部に付加的な加熱および物質移動手段が含まれ、前記付加的な加熱および物質移動手段が、外部冷媒のための１つまたは複数の管路を含み、
（２）前記蒸気ストリームを、前記外部冷媒によって冷却されるべき前記付加的な加熱および物質移動手段に向け、付加的な凝縮を形成し、
（３）前記付加的な凝縮が、その中で分離される前記少なくとも１つの液体ストリームの一部となる、請求項２、３、４、５、６、または７に記載のプロセス。
【請求項１０】
（１）前記凝縮されたストリームを、少なくとも第１の還流ストリームと第２の還流ストリームに分け、
（２）前記第１の還流ストリームを、前記頂部フィードとして前記第１の吸収手段に供給し、
（３）前記第２の還流ストリームを、前記第２の吸収手段よりも下で且つ前記加熱および物質移動手段よりも上でフィードとして前記処理組立体に供給される、請求項１、２、３、４、５、６、７、８、または９に記載のプロセス。
【請求項１１】
前記加熱および物質移動手段が、前記蒸留液体ストリームからの前記より揮発性の成分の前記ストリッピングのために前記第２の部分によって供給される加熱を補足する外部熱媒体のための１つまたは複数の管路を含む、請求項１、２、３、４、５、６、７、８、９、または１０に記載のプロセス。
【請求項１２】
メタン、Ｃ２成分、Ｃ３成分、およびより重質の炭化水素成分を含有するガス・ストリームを、揮発性残留ガス留分と、前記Ｃ２成分、Ｃ３成分およびより重質の炭化水素成分または前記Ｃ３成分およびより重質の炭化水素成分の大部分を含有する比較的低揮発性の留分とに分離するための装置であって、
（１）前記ガス・ストリームを第１の部分と第２の部分に分けるための第１の分ける手段と、
（２）前記第１の部分を受け入れ且つ前記第１の部分を冷却するために前記第１の分ける手段に接続された熱交換手段と、
（３）前記第２の部分を受け入れ且つ前記第２の部分を冷却するために処理組立体の中に収容され且つ前記第１の分ける手段に接続された加熱および物質移動手段と、
（４）前記冷却された第１の部分と前記冷却された第２の部分を受け入れ且つ冷却されたガス・ストリームを形成するために前記熱交換手段と前記加熱および物質移動手段に接続された第１の組み合わせる手段と、
（５）前記冷却されたガス・ストリームを受け入れ且つ前記冷却されたガス・ストリームを第１ストリームと第２ストリームに分けるために前記第１の組み合わせる手段に接続された第２の分ける手段と、
（６）前記熱交換手段を、前記第１のストリームを受け入れ且つ実質的に前記第１のストリームを凝縮するのに十分なだけ前記第１のストリームを冷却するために前記第２の分ける手段にさらに接続することと、
（７）前記実質的に凝縮された第１のストリームを受け入れ且つ前記実質的に凝縮された第１のストリームをより低い圧力に膨張させるために前記熱交換手段に接続された第１の膨張手段と、
（８）前記膨張し冷却された第１のストリームを前記第１吸収手段と前記第２吸収手段との間でそれへのフィードとして受け入れるために前記処理組立体の中に収容され且つ前記第１の膨張手段に接続された第１吸収手段および第２吸収手段であって、前記第１の吸収手段が前記第２の吸収手段よりも上に位置付けられる、第１および第２吸収手段と、
（９）前記第２のストリームを受け入れ且つ前記第２のストリームを前記より低い圧力に膨張させるために前記第２の分ける手段に接続された第２の膨張手段であって、前記膨張した第２のストリームを前記第２の吸収手段へのボトムフィードとして供給するために前記第２の吸収手段にさらに接続された、第２の膨張手段と、
（１０）前記第２の吸収手段の下側領域から蒸留液体ストリームを受け入れるために前記処理組立体の中に収容され且つ前記第２の吸収手段に接続された液体収集手段と、
（１１）前記加熱および物質移動手段を、前記液体収集手段にさらに接続して、前記蒸留液体ストリームを受け入れ且つ前記蒸留液体ストリームを加熱し、これにより前記蒸留液体ストリームからより揮発性の成分を同時にストリッピングしながら前記ステップ（３）の冷却の少なくとも一部を供給し、且つその後、加熱され且つストリッピングされた前記蒸留液体ストリームを前記処理組立体から前記比較的低揮発性の留分として吐出することと、
（１２）前記加熱および物質移動手段の上側領域から第１の蒸留蒸気ストリームを受け入れるために前記処理組立体の中に収容され且つ前記加熱および物質移動手段に接続された第１の蒸気収集手段と、
（１３）前記熱交換手段を、前記第１の蒸留蒸気ストリームを受け入れ且つ前記第１の蒸留蒸気ストリームの少なくとも一部を凝縮するのに十分なだけ前記第１の蒸留蒸気ストリームを冷却するために前記第１の蒸気収集手段にさらに接続することと、
（１４）前記少なくとも部分的に凝縮された第１の蒸留蒸気ストリームを受け入れ、且つ前記少なくとも部分的に凝縮された第１の蒸留蒸気ストリームを、凝縮されたストリームと、前記第１の蒸留蒸気ストリームを冷却した後に残る全ての凝縮されていない蒸気を含有する残留蒸気ストリームとに分離するために前記熱交換手段に接続された分離手段と、
（１５）前記第１の吸収手段を、前記凝縮されたストリームの少なくとも一部を前記分離手段への頂部フィードとして受け入れるために前記分離手段にさらに接続することと、
（１６）前記処理組立体の中に収容され且つ前記第１の吸収手段の上側領域から第２の蒸留蒸気ストリームを受け入れるために前記第１の吸収手段に接続された第２の蒸気収集手段と、
（１７）前記熱交換手段を、前記第２の蒸気収集手段にさらに接続し、前記第２の蒸留蒸気ストリームを受け入れ且つ前記第２の蒸留蒸気ストリームを加熱し、これにより前記ステップ（１３）の冷却の少なくとも一部を供給することと、
（１８）前記加熱された第２の蒸留蒸気ストリームとあらゆる前記残留蒸気ストリームを受け入れ且つ組み合わされた蒸気ストリームを形成するために前記熱交換手段および前記分離手段に接続された第２の組み合わせる手段と、
（１９）前記熱交換手段を、前記第２の組み合わせる手段にさらに接続し、前記組み合わされた蒸気ストリームを受け入れ且つ前記組み合わされた蒸気ストリームを加熱し、これにより前記ステップ（２）および前記ステップ（６）の冷却の少なくとも一部を供給し、且つその後、前記加熱され組み合わされた蒸気ストリームを前記揮発性残留ガス留分として吐出することと、
（２０）前記第１の吸収手段の前記上側領域の温度を前記比較的低揮発性の留分中の成分の大部分が回収される温度に維持するために前記第１吸収手段および前記第２吸収手段への前記フィード・ストリームの量および温度を調節するように適合された制御手段と
を備える装置。
【請求項１３】
（ａ）前記第１の組み合わせる手段を前記冷却された第１の部分と前記冷却された第２の部分を受け入れ且つ部分的に凝縮されたガス・ストリームを形成するように適合しおよび、
（ｂ）付加的な分離手段を、前記部分的に凝縮されたガス・ストリームを受け入れ且つ前記部分的に凝縮されたガス・ストリームを蒸気ストリームと少なくとも１つの液体ストリームに分離するために前記第１の組み合わせる手段に接続し、
（ｃ）前記第２の分ける手段を、前記蒸気ストリームを受け入れ且つこれを第１ストリームと第２ストリームに分けるために前記付加的分離手段に接続し、
（ｄ）第３の膨張手段を、前記付加的な分離手段に接続し、前記少なくとも１つの液体ストリームの少なくとも一部を受け入れ、前記より低圧に膨張させ、前記第３の膨張手段を、前記処理組立体にさらに接続し、前記第２の吸収手段より下でありかつ前記加熱および物質移動手段よりも上であるそれに、フィードとして前記膨張した前記少なくとも１つの液体ストリームの少なくとも一部を供給する、
請求項１２に記載の装置。
【請求項１４】
（ａ）第３の組み合わせ手段を、前記第２の分ける手段および前記分離手段に接続し、前記第１のストリームおよび前記少なくとも１つの液体ストリームの少なくとも一部を受け入れ、組み合わせたストリームを形成し、
（ｂ）前記熱交換手段を、前記第３の組み合わせ手段にさらに接続して前記組み合わせたストリームを受け入れ、十分に冷却して実質的に凝縮し、
（ｃ）前記第１の膨張手段を、前記熱交換手段に接続し、前記実質的に凝縮した組み合わせたストリームを受け入れ、より低圧に膨張させ、
（ｄ）前記第１および第２の吸収手段を、前記第１の膨張手段に接続し、前記膨張させ冷却した組み合わせたストリームを、前記第１および第２の吸収手段の間のそれに前記フィードとして受け入れ、
（ｅ）前記第３の膨張手段を、前記付加的な分離手段に接続し、前記少なくとも１つの液体ストリームの残りの全ての部分を受け入れ、前記より低圧に膨張させ、前記第３の膨張手段を前記処理組立体にさらに接続し、前記第２の吸収手段より下であり、前記加熱および物質移動手段よりも上であるそれに、前記膨張した少なくとも１つの液体ストリームの残りの全ての部分を、前記フィードとして供給する、
請求項１３に記載の装置。
【請求項１５】
前記付加的な分離手段を、前記処理組立体に収容する、請求項１３に記載の装置。
【請求項１６】
前記付加的な分離手段を、前記処理組立体に収容する、請求項１４に記載の装置。
【請求項１７】
（１）前記加熱および物質移動手段を、上側領域および下側領域に配置し、
（２）前記処理組立体を、前記第３の膨張手段に接続し、前記膨張した少なくとも１つの液体ストリームの少なくとも一部を受け入れ、前記加熱および物質移動手段の上側領域および下側領域の間に導く、
請求項１３または１５に記載の装置。
【請求項１８】
（１）加熱および物質移動手段を、上側領域および下側領域に配置し、
（２）前記処理組立体を、前記第３の膨張手段に接続し、前記膨張した少なくとも１つの液体ストリームの残りの全ての部分を受け入れ、前記加熱および物質移動手段の前記上側領域および下側領域の間に導く、
請求項１４または１６に記載の装置。
【請求項１９】
（１）前記処理組立体の中にガス収集手段を収容し、
（２）前記ガス収集手段の内部に付加的な加熱および物質移動手段が含まれ、前記付加的な加熱および物質移動手段が、外部冷媒のための１つまたは複数の管路を含み、
（３）前記ガス収集手段を、前記冷却されたガス・ストリームを受け入れ且つ前記冷却されたガス・ストリームを前記外部冷媒によってさらに冷却されるべき前記付加的な加熱および物質移動手段に向けるために前記第１の組み合わせる手段に接続し、
（４）前記第２の分ける手段を、前記さらに冷却されたガス・ストリームを受け入れ且つ前記第１ストリームと前記第２ストリームに分けるために前記ガス収集手段に接続されるように適合させる、
請求項１２に記載の装置。
【請求項２０】
（１）前記付加的な分離手段の内部に付加的な加熱および物質移動手段が含まれ、前記付加的な加熱および物質移動手段が、外部冷媒のための１つまたは複数の管路を含み、
（２）前記蒸気ストリームを、前記外部冷媒によって冷却されるために前記付加的な加熱および物質移動手段に向け、付加的な凝縮を形成し、
（３）前記付加的な凝縮が、その中で分離される前記少なくとも１つの液体ストリームの一部となる、請求項１３、１４、１５、１６、１７、または１８に記載の装置。
【請求項２１】
（１）第３の分ける手段を、前記凝縮されたストリームを受け入れ且つ前記凝縮されたストリームを少なくとも第１の還流ストリームと第２の還流ストリームに分けるために前記分離手段に接続し、
（２）前記第１の吸収手段を、前記第１の還流ストリームを前記第３の分ける手段への前記頂部フィードとして受け入れるために前記第３の分ける手段に接続されるように適合させ、
（３）前記加熱および物質移動手段を、前記第２の還流ストリームを前記第３の分ける手段への頂部フィードとして受け入れるために前記第３の分ける手段に接続されるように適合させる、
請求項１２、１３、１４、１５、１６、１７、１８、１９、または２０に記載の装置。
【請求項２２】
前記加熱および物質移動手段が、前記蒸留液体ストリームからの前記より揮発性の成分の前記ストリッピングのために前記第２の部分によって供給される加熱を補足する外部加熱媒体のための１つまたは複数の管路を含む、請求項１２、１３、１４、１５、１６、１７、１８、１９、２０、または２１に記載の装置。